(57)【要約】【課題】簡単な構成でありながら遮光物体の影に相当する形状をディスプレイ上に適切に再現表示することができるディスプレイ装置を提供する。【解決手段】受光面を持つ受光センサと、該受光面近傍に設けられたＬＥＤ部と、受光センサからの出力に応じてＬＥＤ部を発光駆動する駆動回路とから成るユニットを複数備え、前記ユニットの受光面とＬＥＤ部とを２次元平面上に多数配列したディスプレイ装置であって、前記ＬＥＤ部は、少なくとも２色の発光色を呈することが可能であり、前記駆動回路は、受光センサに外光が入射している状態と、遮光されている状態とで、それぞれ異なる発光色を呈するようＬＥＤ部を駆動することを特徴とする。【選択図】      図１
2005010714.tif 000002
【特許請求の範囲】
【請求項１】
受光面を持つ受光センサと、該受光面近傍に設けられたＬＥＤ部と、受光センサからの出力に応じてＬＥＤ部を発光駆動する駆動回路とから成るユニットを複数備え、前記ユニットの受光面とＬＥＤ部とを２次元平面上に多数配列したディスプレイ装置であって、
前記ＬＥＤ部は、少なくとも２色の発光色を呈することが可能であり、
前記駆動回路は、受光センサに外光が入射している状態と、遮光されている状態とで、それぞれ異なる発光色を呈するようＬＥＤ部を駆動することを特徴とするディスプレイ装置。
【発明の詳細な説明】
【０００１】
【発明の属する技術分野】
本発明は、ディスプレイ装置に関し、特に、外部光に対して物体が形成する影に相当する部分を点灯させることにより視覚的な効果を奏するディスプレイ装置に関する。
【０００２】
【従来の技術】
外部光に対して物体が形成する影に相当する部分を点灯させることにより視覚的な効果を奏するディスプレイ装置としては、本願発明の発明者が先に提案した実用新案文献１記載のディスプレイ装置が知られている。
【０００３】
この装置は、平面壁面に設けられた装置であって、受光面を持つ受光センサと、該受光面近傍に設けられたＬＥＤと、受光センサからの出力に応じてＬＥＤを発光駆動する駆動回路と、から成るユニットを複数備えており、各ユニットの受光面とＬＥＤとを２次元平面上に多数配列することによりディスプレイ装置が構成されている。そして、外部に設けられた光源からの光が、受光センサに入射しないで遮光されている状態でＬＥＤが点灯するよう構成されている。
【０００４】
このような構成によって、光源とディスプレイ装置との間に介在する遮光物体の影に相当する形状をディスプレイ上に再現表示することができる。特に、遮光物体の動作やその材質に関係なく、即座に影に相当する形状が表示されるという視覚的効果を奏するので、広告宣伝などに効果的であった。
【実用新案文献１】
実開平４−７７１９０号公報
【０００５】
【発明が解決しようとする課題】
しかしながら、実用新案文献１に記載されたディスプレイ装置では、ディスプレイ装置に外光が入射している状態では、ＬＥＤが発光しないという問題があった。このため、このディスプレイ装置を壁面等に設置した場合は、遮光物体が存在しないかぎり、画像表示を行うことができなかった。
【０００６】
本発明はこのような状況に鑑みてなされたものであって、その目的は、簡単な構成でありながら、遮光物体の影に相当する形状をディスプレイ上に適切に再現表示することができるディスプレイ装置を提供することである。
【０００７】
【課題を解決するための手段】
上記目的を達成するために、受光面を持つ受光センサと、該受光面近傍に設けられたＬＥＤ部と、受光センサからの出力に応じてＬＥＤ部を発光駆動する駆動回路とから成るユニットを複数備え、前記ユニットの受光面とＬＥＤ部とを２次元平面上に多数配列したディスプレイ装置であって、前記ＬＥＤ部は、少なくとも２色の発光色を呈することが可能であり、前記駆動回路は、受光センサに外光が入射している状態と、遮光されている状態とで、それぞれ異なる発光色を呈するようＬＥＤ部を駆動することを特徴とする。
【０００８】
【発明の実施の形態】
以下、本発明を実施したディスプレイ装置を、図面を参照しつつ説明する。図１は、本発明の一実施形態のディスプレイ装置１を表す図である。実施形態のディスプレイ装置１では、２次元平面に縦方向及び横方向に多数の受光センサとその近傍に配置されたＬＥＤ部からなるユニット２が２次元配列されている。なお、ユニットに含まれる受光センサとしては、フォトトランジスタ等の光電変換センサを使用することが可能である。ユニットに含まれるＬＥＤ部には、ＲＧＢ等の所望カラーのものや白色ＬＥＤ等を用いることができる。本実施形態では、ＬＥＤ部は、それぞれ異なる２色の発光色を呈する独立のＬＥＤが各ユニットそれぞれに含まれている。
【００１１】
図２は、実施形態のディスプレイ装置の駆動回路の一例を示す回路図である。図２に示された駆動回路において、直流電圧を供給する正極１０に対して、可変抵抗１７を介して、フォトトランジスタ１１のコレクタが接続されている。また、同じく、正極１０に抵抗１８及び１９を介して、ＬＥＤ１２及び１３が接続されている。ＬＥＤ１８と１９は異なる発光色を有しており、例えば、一方が赤色光を発光し、他方が青色光を発光する。ＬＥＤ１５には、トランジスタ１２のコレクタが接続されている。トランジスタ１２のベースは抵抗を介してフォトトランジスタ１１のベースと接続されており、このベース側には、グラウンドとの間にコンデンサ１４が接続されている。また、ＬＥＤ１６にはトランジスタ１３のコレクタが接続されている。トランジスタ１３のベース側は、抵抗を介してトランジスタ１２のコレクタと接続されている。
【００１２】
以上の構成において、外光供給源として、外光を放射するランプ等を設置した環境において、本実施形態のディスプレイ装置１を配置する。この状況において、フォトトランジスタ１１へ入射する外光が弱くなると、フォトトランジスタ１１のベース電圧が上がり、これと併せてトランジスタ１２のベース電圧も上がるので、トランジスタ１２がスイッチＯＮとなり、ＬＥＤ１５が点灯される。このとき、トランジスタＬＥＤ１５を流れる電流は、トランジスタ１２側に多く流れるようになり、トランジスタ１３のベース電圧が低下する。このため、トランジスタ１３がスイッチＯＦＦとなり、ＬＥＤ１６は点灯しない。逆に、フォトトランジスタ１１へ入射する外光が強くなると、フォトトランジスタ１１のベース電圧が下がるため、併せてトランジスタ１３のベース電圧も低下するので、トランジスタ１２がスイッチＯＦＦとなり、ＬＥＤ１５は点灯しない。このとき、トランジスタＬＥＤ１５を流れる電流は、トランジスタ１３側に多く流れるようになり、トランジスタ１３のベース電圧が上昇する。このため、トランジスタ１３がスイッチＯＮとなり、ＬＥＤ１５が点灯する。
【００１２】
以上のようにして、実施形態の駆動回路では、フォトトランジスタ１１に入射する外光に応じて、ＬＥＤ１５とＬＥＤ１６とを選択的に点灯させることができる。したがって、ランプ等の外光供給源と、ディスプレイ装置１の間に遮光物体が介在するか否かに応じてディスプレイ装置１の表示が変化し、遮光物体の影に相当する部分にのみ別の発光色で表示がなされる。
【００１３】
このように、構成された実施形態のディスプレイ装置では、ディスプレイ装置１と外光を供給するランプとの間に、遮光物体が配置されているときといないときとで発光色が変化し、遮光物体の影に相当する部分のみ別の発光色で表示を行うことができる。したがって、本実施形態のディスプレイ装置を、店舗やテーマパーク等の建物の内部やエントランスに配置すると、視覚的に楽しいのみならず、ディスプレイ装置を見る観察者に驚きを与えることができ、広告宣伝効果の高いディスプレイ装置を提供することが可能となる。
【００１４】
なお、フォトトランジスタ１１に入射する外光のしきい値レベルは、可変抵抗１７を適宜選択することにより調整可能である。同様に、ＬＥＤ１５，１６の発光強度は、それぞれ独立に接続された抵抗１８，１９を適宜選択することにより行うことができる。さらに、とトランジスタ１２のベースに接続されたコンデンサ１４の時定数を調整することにより、ＬＥＤ１５からＬＥＤ１６への発光切り替えのタイミングをシャープにするか滑らかにするか、を調整することができる。
【００１５】
なお、上記実施形態では、ハードウェア回路により駆動回路を制御する方法を示したが、これに限られず、例えば２色のＬＥＤをそれぞれ独立の駆動回路で駆動し、ソフトウェアにより、遮光物体が存在する部分だけ異なる発光色を呈するよう発光させるよう構成してもよい。また、ＬＥＤは２色でなくてもよく３色やそれ以上のＬＥＤを備えてもよい。単純にＬＥＤを切り替えるのではなく、カラーＬＥＤのようなものを用いて、発色を制御すれば、ＬＥＤの発色に関わらず、任意の色で切り替えることが可能である。さらに、外光が入射している状態で、表示される画像は任意であり、無地静止画像に限られず、所定の静止画／動画などであってもよい。
【００１６】
【発明の効果】
以上、説明したように、本発明によれば、簡単な構成でありながら遮光物体の影に相当する形状をディスプレイ上に適切に再現表示することができるディスプレイ装置を提供することができた。
【図面の簡単な説明】
【図１】本発明を実施した実施形態のディスプレイ装置を示す斜視図
【図２】ユニットの駆動回路を示す回路図
【符号の説明】
１：ディスプレイ装置
１１：フォトトランジスタ
１５、１６：ＬＥＤ
１４：コンデンサ
【図１】
2005010714.tif 000003
【図２】
2005010714.tif 000004